(57)【要約】      （修正有）【課題】収容が簡単であり、保管物を外部から大まかに視認可能であり、しかも強く押さえずに保管が可能であり、また木簡の削屑が酸化に伴い劣化することを抑制可能な木簡保存容器を提供すること。【解決手段】木簡保存容器は、中性の段ボール紙を用いて枠体を形成すると共に該枠体に中性の厚紙を用いて底板を取り付けることで容器本体を形成し、該容器本体内にノンバッファーの薄葉紙３０を重ねた束をノンバッファーの薄葉紙で包装して形成したクッション材を装入し、容器本体に中性の厚紙で形成した枠状であり且つ容器本体内に嵌まり込む枠状の凸部を設けた蓋材２０を開閉自在に取り付け、容器本体と蓋材との間にノンバッファーの薄葉紙を挟み込んで構成した。木簡保存容器は、長繊維の不織布で形成することで透明度を付与したノンバッファーの薄葉紙を、容器本体と蓋材との間に挟み込んで構成した。【選択図】図１
2020066463.tif 000002
【特許請求の範囲】
【請求項１】
中性の段ボール紙を用いて枠体を形成すると共に、該枠体に中性の厚紙を用いて底板を取り付けることで容器本体を形成したこと、
該容器本体内に、重ねたノンバッファーの薄葉紙の束をノンバッファーの薄葉紙で包装して形成したクッション材を装入したこと、
容器本体に中性の厚紙で形成した枠状であり、且つ容器本体内に嵌まり込む枠状の凸部を設けた蓋材を開閉自在に取り付けたこと、
容器本体と蓋材との間にノンバッファーの薄葉紙を挟み込んだこと、
を特徴とする木簡保存容器。
【請求項２】
長繊維の不織布で形成することで透明度を付与したノンバッファーの薄葉紙を、容器本体と蓋材との間に挟み込んだ請求項１に記載の木簡保存容器。
【発明の詳細な説明】
【技術分野】
【０００１】
本発明は木簡などの発掘調査等で出土した資料を保存するための容器に関し、より詳しくは木簡の削屑を保管することに適した木簡保存容器に関する。
【背景技術】
【０００２】
木簡とは、古代の東アジアで墨で文字を書くために使われた短冊状の細長い木の板をいう。日本でも7世紀後半から９世紀頃までを中心に、文字記載媒体として木簡が汎用されていた。
【０００３】
木簡の特徴の一つは、削って書き直したり再利用したりすることができるという点にある。近年かかる木簡の削屑が多量に発掘され、貴重な文字資料となっている。
【０００４】
かかる木簡の削屑の保管方法は、かつてはプレパラート上に載置し、樹脂で固めたうえで、ケースに収納されるという手段がとられることが多かった。最近では化学的保存処理を施したうえでボクセル（商品名）と呼ばれる２枚の伸縮性特殊フィルムを内部に備えたハードケース内に、該伸縮性特殊フィルムで削屑を挟持して保管するといった方法がとられている。
【０００５】
特許文献１には、収納容器の内装材に低反発性フォームを使用することで保管や携帯移動中に発生する外部からの衝撃エネルギを内装材料が吸収し、さらに過度な応力を受けないようにした文化財等を収容可能な容器が開示されている。特許文献２には、けい酸カルシウム板で形成することで調湿機能を装備せしめた文化財保存容器が開示されている。
【先行技術文献】
【特許文献】
【０００６】
【特許文献１】特開２００２−２６２９１８号公報
【特許文献２】特開平６−１１５５７１号公報
【発明の開示】
【発明が解決しようとする課題】
【０００７】
従来のように、プレパラート上に木簡の削屑を樹脂で固めるといった方法は、ガラスの破損の危険性があるほか、個々の削屑の接続を確認することが困難であるという問題点がある。ボクセルには経年劣化が生じやすいという問題点があると共に、嵩張るという問題点もある。また、保存処理後の乾燥した状態の削屑は強く押さえると破損の恐れがある。
【０００８】
そこで本発明は、収容が簡単であり、保管物を外部から大まかに視認可能であり、しかも強く押さえずに保管が可能であり、また木簡の削屑が酸化に伴い劣化することを抑制可能な木簡保存容器を提供することを目的とする。
【課題を解決するための手段】
【０００９】
上記の目的を達成する本発明の構成は以下の通りである。
【００１０】
（１) 請求項１に記載の木簡保存容器は、中性の段ボール紙を用いて枠体を形成すると共に該枠体に中性の厚紙を用いて底板を取り付けることで容器本体を形成し、該容器本体内にノンバッファーの薄葉紙を重ねた束をノンバッファーの薄葉紙で包装して形成したクッション材を装入し、容器本体に中性の厚紙で形成した枠状であり且つ容器本体内に嵌まり込む枠状の凸部を設けた蓋材を開閉自在に取り付け、容器本体と蓋材との間にノンバッファーの薄葉紙を挟み込んで構成した。
【００１１】
（２) 請求項２に記載の木簡保存容器は、請求項１に記載の発明において、長繊維の不織布で形成することで透明度を付与したノンバッファーの薄葉紙を、容器本体と蓋材との間に挟み込んで構成した。
【発明の効果】
【００１２】
上記のように構成される本発明が、如何に作用して課題を解決するかを図面を参照しながら概説する。なお、各図におけるＵとは上方を、Ｄは下方を、Ｒは右方向を、Ｌは左方向を意味するものである。
【００１３】
図９は本発明の実施状態を示す説明断面図である。容器本体１０内に装入されたクッション材３１の上に木簡の削屑１が載置されており、その上から薄葉紙３０が被せられている。そして蓋材２０を構成する凸部２２が、容器本体１０に嵌まり込むことで、薄葉紙３０を抑える構造となっている。かようにクッション材３１と薄葉紙３０で削屑１を挟持することで、削屑１の移動を抑制するものである。
【００１４】
このように本発明によれば削屑１の上から薄葉紙３０を被せ、蓋材２０を容器本体１０に嵌め込むという簡単な操作で収容が可能となるものである。
【００１５】
また、図７、柔軟な構造体である。かかるクッション材３１の上に削屑１を載置し、薄葉紙３０を被せることで削屑１を固定しており、削屑１を強く押さえずに保管することが可能となるのである。
【００１６】
容器本体１０、蓋材２０はともに中性紙で形成されており、薄葉紙３０,３２,３３はノンバッファー紙であることから削屑１が酸化に伴い劣化することを抑制可能となるものである。
【００１７】
請求項２に記載の発明では、容器本体１０と蓋材２０との間に挟み込んである薄葉紙３０を、長繊維の不織布で形成することで透明度を付与したものとしてある。かかる構成とすることで収容された削屑１のシルエットが外部より視認可能となるものである。
【図面の簡単な説明】
【００１８】
【図１】本発明の正面図
【図２】同、左側面図
【図３】Ａ−Ａ線断面図
【図４】蓋材を開いた状態の正面図
【図５】本発明の斜視図
【図６】蓋材を開いた状態の斜視図
【図７】クッション材の説明図
【図８】実施状態を示す説明斜視図
【図９】実施状態を示す説明断面図
【発明を実施するための形態】
【００１９】
以下、好ましい本発明の実施形態につき、図面を参照しながら概説する。なお、本発明構成要素の実施形態は下記の実施形態に何ら限定されることはなく、本発明の技術的範囲に属する限り種々の形態を採りうる。なお、図中Ｕは上方をＤは下方を意味するものである。図４では時計方向に９０度回転させて作図してある。図４、図６では内部構造を可視的にするために薄葉紙３０を仮想線で作図してある。
【００２０】
本発明に係る木簡保存容器は、容器本体１０、蓋材２０、クッション材３１を主な構成要素とする。
【００２１】
容器本体１０は図２や図３に示すように、方形の枠材１１を水溶性の接着剤を用いて二枚貼り合わせ、その下部に方形の板材である底板１２を貼り合わせて構成してある。枠体１１は中性紙で形成した段ボール紙を用いている。底板１２は中性紙を用いた厚紙である。ここに中性紙とは酸を中和するため炭酸カルシウムなどを充填剤として添加して抄紙した、概ねｐＨを７〜９．５に調製された紙を指す（以下同様）。
【００２２】
蓋材２０は図３や図４に示すように、枠材２１に凸部２２を貼り合わせて構成される。枠材２１は中性紙を用いた厚紙である。凸部２２は中性紙を用いた枠状の段ボール紙である。凸部２２は枠体１１に嵌め込み可能に形成してある。すなわち凸部２２の外周は枠体１１の内周にほぼ相似形に形成してある。
【００２３】
容器本体１０と蓋材２０は図４に示すように、それぞれの端部にテープ４０を貼ることで開閉自在に構成してある。テープ４０は収容物を保護するため、無酸性のテープを使用している。
【００２４】
クッション材３１は図３や図７に示すように、薄葉紙３２を多数枚重ね合わせ、薄葉紙３３で包装して形成してある。薄葉紙３２,３３共にノンバッファー紙を用いている。ここでいうノンバッファー紙とは、ｐＨが７程度のアルカリ緩衝材を含まない保存用紙である（以下同様）。
【００２５】
容器本体１０と蓋材２０との間にはノンバッファーの薄葉紙３０を挟み込んである。挟み込む薄葉紙３０の枚数は一枚でもいいが、収容物の保護のために複数枚挟み込んでもよい。
【００２６】
請求項２記載の発明では、薄葉紙３０を長繊維の不織布で形成することで半透明に形成してある。具体的には２．６ｍｍ前後のマニラ繊維を用いており、一枚の薄葉紙３０の白紙不透明度を２０％前後にしてある。但し、薄葉紙３０を複数枚重ねて使用するときは、重ねた状態で白紙不透明度が４０％を超えると内容物の判別が困難となるので、白紙不透明度が重ねた状態で４０％を超えない不透明度の薄葉紙を使用する必要がある。
【符号の説明】
【００２７】
１・・削屑
１０・・容器本体
１１・・枠体
１２・・底板
２０・・蓋材
２１・・枠材
２２・・凸部
３０・・薄葉紙
３１・・クッション材
３２・・薄葉紙
３３・・薄葉紙
４０・・テープ
【図１】
2020066463.tif 000003
【図２】
2020066463.tif 000004
【図３】
2020066463.tif 000005
【図４】
2020066463.tif 000006
【図５】
2020066463.tif 000007
【図６】
2020066463.tif 000008
【図７】
2020066463.tif 000009
【図８】
2020066463.tif 000010
【図９】
2020066463.tif 000011
【手続補正書】
【提出日】令和2年1月4日(2020.1.4)
【手続補正１】
【補正対象書類名】特許請求の範囲
【補正対象項目名】全文
【補正方法】変更
【補正の内容】
【特許請求の範囲】
【請求項１】
中性の段ボール紙を用いて形成した枠体を上段下段に二枚張り合わせると共に、該下段の枠体に中性の厚紙を用いた底板を取り付けることで容器本体を形成したこと、
該容器本体内に、重ねたノンバッファーの薄葉紙の束をノンバッファーの薄葉紙で包装して形成したクッション材を装入したこと、
クッション材の上下方向の厚みを、該クッション材を容器本体内に装入した状態で、上記下段の枠体の上端面と略同一となる程度に形成したこと、
中性の厚紙で形成した枠状であり、且つ、容器本体内に嵌まり込むと共に上下方向厚みが上記上段の枠体の上下方向厚みと略同一の枠状の凸部を設けた蓋材を、容器本体に対して開閉自在に取り付けたこと、
容器本体と蓋材との間に、その周縁が上記上段枠体にかぶさる程度の大きさのノンバッファーの薄葉紙を挟み込んだこと、
を特徴とする木簡保存容器。
【請求項２】
２．６ｍｍ前後のマニラ繊維を用いて形成し、且つ、一枚の薄葉紙の白紙不透明度を２０％前後にし、且つ、薄葉紙を複数枚重ねて使用するときは、重ねた状態で白紙不透明度が４０％未満となるノンバッファーの薄葉紙を、容器本体と蓋材との間に挟み込んだ請求項１に記載の木簡保存容器。